(57)【要約】【課題】    従来の手動式リーマでは、高精度な穴形状を求めるというよりも、素早く穴径を広げる、あるいは複数の穴をつなげて大きな穴を形成する為に用いられることが多いが、このような作業において大きなバリが多数発生し、これを取り除く為にラジオペンチ等を使用することになる。しかし、素早い作業が求められるこのような作業において、工具を頻繁に持ち替えることは大変な作業時間のロスになる。【解決手段】  挟み具の機能を有する手動式リーマを用いる。【選択図】              図５
2006341371.tif 000002
【特許請求の範囲】
【請求項１】
一端に向かって細くなる円錐状の棒状部と、
前記棒状部の軸方向に沿うように、前記棒状部の外周に設けられる刃溝と、
前記棒状部は縦割りに二分割されており、前記二分割された前記棒状部の他端の一方及び他方にそれぞれ設けられる第１中心軸線及び第２中心軸線と、
前記棒状部の一方から、前記第１中心軸線に略垂直な方向に設けられる第１指掛部と、
前記棒状部の他方から、前記第２中心軸線に略垂直な方向に設けられる第２指掛部と、
を備え、
前記棒状部の一方及び他方はそれぞれ前記第１中心軸線及び前記第２中心軸線を中心に揺動可能で、
前記第１指掛部及び前記第２指掛部が近づく方向に揺動させることで、前記棒状部の一方の第１分割面及び前記棒状部の他方の第２分割面が近づく方向に揺動し、前記第１分割面及び前記第２分割面が合わさる、
手動式リーマ。
【請求項２】
一端に向かって細くなる円錐状の棒状部と、
前記棒状部の軸方向に沿うように、前記棒状部の外周に設けられる刃溝と、
前記棒状部は縦割りに二分割されており、前記二分割された前記棒状部の他端の一方及び他方にそれぞれ設けられる第１中心軸線及び第２中心軸線と、
前記棒状部の一方から、前記第１中心軸線に略垂直な方向に設けられる第１指掛部と、
前記棒状部の他方から、前記第２中心軸線に略垂直な方向に設けられる第２指掛部と、
を備え、
前記棒状部の一方及び他方はそれぞれ前記第１中心軸線及び前記第２中心軸線を中心に揺動可能で、
前記第１指掛部及び前記第２指掛部が遠ざかる方向に揺動させることで、前記棒状部の一方の第１分割面及び前記棒状部の他方の第２分割面が近づく方向に揺動し、前記第１分割面及び前記第２分割面が合わさる、
手動式リーマ。
【請求項３】
前記第１中心軸線及び前記第２中心軸線は同心である、
請求項１から請求項２のいずれかに記載の手動式リーマ。
【請求項４】
前記棒状部の軸方向に沿うように、前記第１分割面に凹形状及び前記第２分割面に凸形状が設けられ、
前記凹形状と前記凸形状は嵌合可能である、
請求項１から請求項３のいずれかに記載の手動式リーマ。
【発明の詳細な説明】
【技術分野】
【０００１】
本発明は、手動式リーマに関する。
【背景技術】
【０００２】
穴形状を整える為のリーマとしては、特許文献１のように棒状部の軸方向に沿うように、外周に刃溝が設けられるものがある。
【０００３】
【特許文献１】特開２００１−１１３４１３号公報
【０００４】
また、特許文献１のようなリーマにおいて、棒状部が一端に向かって細くなる円錐状であり、棒状部の他端に軸方向に垂直に指掛棒が設けられて、手動で穴径を広げ整えるものが知られている。
【０００５】
また、挟み具の中でもペンチやニッパーにおいては、特許文献２のように一対のアーム体の一端に設けられた指掛部を握ることで、一対のアーム体の他端に設けられた挟み部が閉じられるように、一対のアーム体の略中央部に回転中心軸ピンが設けられ、テコの原理を利用して握力よりも強い力を挟み部に発生させるような構造のものが多い。
【０００６】
【特許文献２】特開２００２−３０７３１７号公報
【発明の開示】
【発明が解決しようとする課題】
【０００７】
従来の手動式リーマでは、高精度な穴形状を求めるというよりも、素早く穴径を広げる、あるいは複数の穴をつなげて大きな穴を形成する為に用いられることが多いが、このような作業において大きなバリが多数発生し、これを取り除く為にラジオペンチ等を使用することになる。しかし、素早い作業が求められるこのような作業において、工具を頻繁に持ち替えることは大変な作業時間のロスになる。
【課題を解決するための手段】
【０００８】
本発明の実施形態図等を用いて以下に説明するが、これは本発明の内容をより把握しやすいようにする為で、添付の特許請求の範囲を縮小するものではない。
また、各図に記載の符号は数字のみ、あるいは数字とアルファベットの小文字で構成されているが、数字が同一であるということは、互いに対応している部分であることを表す。よって、数字のみの符号は、数字が同一であり数字とアルファベットの小文字で構成される符号を含む。
【０００９】
発明１に係る手動式リーマは、例えば図１及び図３のように、
一端１に向かって細くなる円錐状の棒状部と、
前記棒状部の軸方向に沿うように、前記棒状部の外周２に設けられる刃溝３と、
前記棒状部は縦割りに二分割されており、前記二分割された前記棒状部の他端４の一方５及び他方６にそれぞれ設けられる中心軸線７及び中心軸線８と、
前記棒状部の一方５から、中心軸線７に略垂直な方向に設けられる指掛部９と、
前記棒状部の他方６から、中心軸線８に略垂直な方向に設けられる指掛部１０と、
を備え、
前記棒状部の一方５及び他方６はそれぞれ中心軸線７及び中心軸線８を中心に揺動可能で、
指掛部９及び指掛部１０が近づく方向に揺動させることで、前記棒状部の一方５の分割面１１及び前記棒状部の他方６の分割面１２が近づく方向に揺動し、分割面１１及び分割面１２が合わさる、
手動式リーマである。
【００１０】
発明２に係る手動式リーマは、例えば図２及び図４のように、
一端１に向かって細くなる円錐状の棒状部と、
前記棒状部の軸方向に沿うように、前記棒状部の外周２に設けられる刃溝３と、
前記棒状部は縦割りに二分割されており、前記二分割された前記棒状部の他端４の一方５及び他方６にそれぞれ設けられる中心軸線７及び中心軸線８と、
前記棒状部の一方５から、中心軸線７に略垂直な方向に設けられる指掛部９と、
前記棒状部の他方６から、中心軸線８に略垂直な方向に設けられる指掛部１０と、
を備え、
前記棒状部の一方５及び他方６はそれぞれ中心軸線７及び中心軸線８を中心に揺動可能で、
指掛部９及び指掛部１０が遠ざかる方向に揺動させることで、前記棒状部の一方５の分割面１１及び前記棒状部の他方６の分割面１２が近づく方向に揺動し、分割面１１及び分割面１２が合わさる、
手動式リーマである。
【００１１】
発明３に係る手動式リーマは、発明１から発明２のいずれかの手動式リーマにおいて、例えば図１及び図２のように、
中心軸線７及び中心軸線８は同心である、
手動式リーマである。
【００１２】
発明４に係る手動式リーマは、発明１から発明３のいずれかの手動式リーマにおいて、例えば図１から図６のように、
前記棒状部の軸方向に沿うように、分割面１１に凹形状１５及び分割面１２に凸形状１８が設けられ、
凹形状１５と凸形状１８は嵌合可能である、
手動式リーマである。
【発明の効果】
【００１３】
以上のように本発明では、棒状部が曲がりにくい断面二次モーメントを維持しながら、分割面１１及び分割面１２において被挟み物を挟むことが可能となる。
また、分割面１１及び分割面１２が遠ざかる方向に揺動させることで、棒状部を挿入した穴をより大きく広げることが可能となる。
【００１４】
さらに発明３によると、棒状部を細身にすることが容易となる。
【００１５】
さらに発明４によると、分割面１１及び分割面１２を合わせて棒状部を穴に挿入し、回転させて穴を広げている際に、分割面１１及び分割面１２がずれるのを効果的に防ぐことが可能となる。
【発明を実施するための最良の形態】
【００１６】
以下に記載の第１実施形態及び第２実施形態において、棒状部の断面形状の実施形態１から棒状部の断面形状の実施形態４のいずれも適用可能である。
【００１７】
〔棒状部の断面形状の第１実施形態〕
図３において、棒状部の外周２aには、軸方向に沿う方向に台形状の刃溝３aが２本、切削加工によって設けられており、刃溝３aの縁には角度約９０度の刃形状１９aが形成されている。
また、棒状部の分割面１１a及び分割面１２aにはそれぞれＶ字状溝である凹形状１５a及び凹形状１６aが設けられており、また、分割面１１及び分割面１２にはそれぞれ凹形状１５a及び凹形状１６aに嵌合可能な凸形状１８a及び凸形状１７aが設けられている。
【００１８】
〔棒状部の断面形状の第２実施形態〕
図４において、棒状部の外周２bには、軸方向に沿う方向に半円状の刃溝３bが２本、切削加工によって設けられており、刃溝３bの縁には角度約９０度の刃形状１９bが形成されている。
また、棒状部の分割面１１b及び分割面１２bにはそれぞれＶ字状溝である凹形状１５b及び凹形状１６bが設けられており、また、分割面１１b及び分割面１２bにはそれぞれ凹形状１５b及び凹形状１６bに嵌合可能な凸形状１８b及び凸形状１７bが設けられている。
【００１９】
〔棒状部の断面形状の第３実施形態〕
図５において、棒状部の外周２cには、軸方向に沿う方向にＶ字状の刃溝３cが１２本、切削加工によって設けられており、刃溝３cの縁には角度約９０度の刃形状１９cが形成されている。
また、棒状部の分割面１１c及び分割面１２cにはそれぞれＶ字状溝である凹形状１５c及び凹形状１６cが設けられており、また、分割面１１c及び分割面１２cにはそれぞれ凹形状１５c及び凹形状１６cに嵌合可能な凸形状１８c及び凸形状１７cが設けられている。
また、１２本の刃溝３cのうち２本は分割面１１c及び分割面１２cを含んでおり、分割面１１c及び分割面１２cに刃形状１９cが形成されている。
【００２０】
〔棒状部の断面形状の第４実施形態〕
図６において、棒状部の外周２dには、軸方向に沿う方向にＶ字状の刃溝３dが２本、切削加工によって設けられており、刃溝３dの縁には角度約９０度の刃形状１９dが形成されている。
また、棒状部の分割面１１d及び分割面１２dにはそれぞれＶ字状溝である凹形状１５d及び凹形状１６dが設けられており、また、分割面１１d及び分割面１２dにはそれぞれ凹形状１５d及び凹形状１６dに嵌合可能な凸形状１８d及び凸形状１７dが設けられている。
また、２本の刃溝３dは分割面１１d及び分割面１２dを含んでおり、分割面１１d及び分割面１２dに刃形状１９dが形成されている。
【００２１】
〔第１実施形態〕
図１及び図３において、棒状部の他端４aの一方５aから伸びる棒状の指掛部９aは、棒状部と一体に鍛造成型された鉄製である。ここで、一体成型でなくても別に成型後、溶接や嵌合等によって接合されても良いし、リンク機構やカム機構等の倍力機構を介して接続されても良い。
また、棒状部の他端４aの一方５aには中心軸線７aが設けられており、この中心軸線７aに沿うように貫通穴が開けられている。
また、棒状の指掛部９aの根元付近には、中心軸線７aに平行な方向に穴が設けられている。
【００２２】
また、棒状部の他方６a、指掛部１０a及び中心軸線８a等から構成される部材は、棒状部の一方５a、指掛部９a及び中心軸線７a等から構成される部材と同一形状であり、棒状部の軸中心に１８０度回転させ、中心軸線７a及び中心軸線８aが同心となるように交差させて組み合わせ、軸ピン２１aを棒状部の他端４aの一方５a及び他方６aに設けられた穴を同時に貫通するように挿入し、軸ピン２１aを中心に両部材が相対揺動可能となっている。
【００２３】
また、分割面１１a及び分割面１２aが開く方向に付勢する付勢部材２０aであるネジリコイルバネの両端には輪状部が設けられており、それぞれ指掛部９aの穴及び指掛部１０aの穴に圧入嵌合される軸ピン１３a及び軸ピン１４aに回転可能に係止されている。
【００２４】
〔第２実施形態〕
図２及び図４において、棒状部の他端４bの一方５bから伸びる棒状の指掛部９bは、棒状部と一体に鍛造成型された鉄製である。ここで、一体成型でなくても別に成型後、溶接や嵌合等によって接合されても良いし、リンク機構やカム機構等の倍力機構を介して接続されても良い。
また、棒状部の他端４bの一方５bには中心軸線７bが設けられており、この中心軸線７bに沿うように貫通穴が開けられている。
また、棒状の指掛部９bの根元付近には、中心軸線７bに平行な方向に穴が設けられている。
【００２５】
また、棒状部の他方６b、指掛部１０b及び中心軸線８b等から構成される部材は、棒状部の一方５b、指掛部９b及び中心軸線７b等から構成される部材と同一形状であり、棒状部の軸中心に１８０度回転させ、中心軸線７b及び中心軸線８bが同心となるように並べて組み合わせ、軸ピン２１bを棒状部の他端４bの一方５b及び他方６bに設けられた穴を同時に貫通するように挿入し、軸ピン２１bを中心に両部材が相対揺動可能となっている。
【００２６】
また、分割面１１b及び分割面１２bが閉じる方向に付勢する付勢部材２０bであるネジリコイルバネの両端には輪状部が設けられており、それぞれ指掛部９bの穴及び指掛部１０bの穴に圧入嵌合される軸ピン１３b及び軸ピン１４bに回転可能に係止されている。
【図面の簡単な説明】
【００２７】
【図１】第１実施形態の手動式リーマの動作を２段階で表す図
【図２】第２実施形態の手動式リーマの動作を２段階で表す図
【図３】第１実施形態を図１の線分A−Aで切断して見た断面図
【図４】第２実施形態を図２の線分Ｂ−Ｂで切断して見た断面図
【図５】図３及び図４の断面図に記載の断面形状以外の断面形状例図、その１
【図６】図３及び図４の断面図に記載の断面形状以外の断面形状例図、その２
【符号の説明】
【００２８】
１                                                     一端
２                                                     外周
３                                                     刃溝
４                                                     他端
５                                                     一方
６                                                     他方
７,８                                                 中心軸線
９,１０                                             指掛部
１１,１２                                         分割面
１３,１４,２１                                 軸ピン
１５,１６                                         凹形状
１７,１８                                         凸形状
１９                                                  刃形状
２０                                                  付勢部材
【図１】
2006341371.tif 000003
【図２】
2006341371.tif 000004
【図３】
2006341371.tif 000005
【図４】
2006341371.tif 000006
【図５】
2006341371.tif 000007
【図６】
2006341371.tif 000008
【手続補正書】
【提出日】平成18年8月17日(2006.8.17)
【手続補正１】
【補正対象書類名】図面
【補正対象項目名】図２
【補正方法】変更
【補正の内容】
【図２】
2006341371.tif 000009